(57)【要約】【課題】視聴者が煩雑な操作をすることなく、同視聴者に不快な思いをさせる異音等を消音させることができる放送受信装置を提供する。【解決手段】放送受信装置１００は、各時間帯に放送されるチャンネルに対する付加情報が付与された前記テレビジョン放送信号から音声データと前記付加情報とを取り出すデータ取得部７０と、取り出された付加情報から各チャンネルの放送開始時刻が記録された番組表データを生成する番組表データ生成部４０と、本放送受信装置の駆動を制御する制御部３０と、制御部３０に計時機能を付与する計時手段３４とを有している。また、制御部３０は、電源が投入された時点で計時された現在の時刻と、生成された番組表データから参照される放送開始時刻とを比較して、現在の時刻が放送開始時刻より早い場合は、放送開始時刻になるまで音声データに基づく音声を出力させない。【選択図】図２
2009290334.tif 000002
【特許請求の範囲】
【請求項１】
テレビジョン放送信号を受信する放送受信装置において、
各時間帯に放送されるチャンネルに対する付加情報が付与された前記テレビジョン放送信号から音声データと、前記付加情報とを取り出すデータ取得部と、
前記取り出された付加情報から前記各チャンネルの放送開始時刻が記録された番組表データを生成する番組表データ生成部と、
本放送受信装置の駆動を制御する機能を備える制御部と、
前記制御部に計時機能を付与する計時手段とを有し、
前記制御部は、電源が投入された時点で計時された現在の時刻と、前記生成された番組表データから参照される放送開始時刻とを比較して、現在の時刻が前記放送開始時刻より早い場合は、放送開始時刻になるまで前記音声データに基づく音声を出力させないことを特徴とする放送受信装置。
【請求項２】
前記番組表データは、ＥＰＧ情報であることを特徴とする請求項１に記載の放送受信装置。
【請求項３】
前記制御部は、前記番組表データから参照される放送開始時刻と前記計時された現在の時刻との差分演算を行い、この差分演算の値に基づいて、現在の時刻が放送開始時刻より早いか否かを判断することを特徴とする請求項１又は請求項２のいずれかに記載の放送受信装置。
【請求項４】
前記制御部は、現在の時刻が前記放送開始時刻より遅い場合は、前記音声データに基づく音声を出力させることを特徴とする請求項１〜請求項３のいずれか一項に記載の放送受信装置。
【請求項５】
前記音声データに基づいて音声を出力する機能を備える音声出力部を有し、
前記番組表データは、ＥＰＧ情報であって、
前記音声出力部は、音声を消音するミュート機能を備えており、
前記制御部は、前記番組表データから参照される放送開始時刻と前記計時された現在の時刻との差分演算を行い、この差分演算の値に基づいて、現在の時刻が放送開始時刻より早いか否かを判断し、
現在の時刻が前記放送開始時刻より遅い場合は、前記音声出力部に音声を出力させ、
現在の時刻が前記放送開始時刻より早い場合は、前記音声出力部にミュート機能を実行させることで音声を出力させないことを特徴とする請求項１に記載の放送受信装置。
【発明の詳細な説明】
【技術分野】
【０００１】
本発明はテレビジョン放送を出力する放送受信装置に関するものである。
【背景技術】
【０００２】
従来、テレビジョン放送が開始される直前に、試験放送が放送される場合がある。試験放送は、放送機器の調整などを目的として行われる放送であり、すでに開設されている放送局でも実施されている。この試験放送は、所定の画像により構成されたテストパターン画像や、所定の音声により構成されている。
【０００３】
しかし、これら試験放送により放送される画像や音声は、視聴者にとっては何の意味をなすものでもなく、特に音声においては、視聴者にとって耳障りである場合が多かった。
【０００４】
試験放送時に不快な音声が出力された場合、視聴者は、放送受信装置の音声レベルを調整することで対応していた。具体的には、視聴者は、リモコン装置等を操作して、放送受信装置に対して音声を消音するよう命令することができる（例えば、特許文献１参照。）。
【０００５】
また、予め録画予約された番組を放送受信装置が録画する際に、音声を消音させる音声出力装置が開示されている（例えば、特許文献２参照。）。
【特許文献１】特開平９−６５２２８号公報
【特許文献２】特開２００７−３６６１６号公報
【発明の開示】
【発明が解決しようとする課題】
【０００６】
上記した従来の技術では、試験放送が放映されている場合に、視聴者はリモコン装置等を操作して放送受信装置の音声レベルを低くする必要があった。また、放送が開始された後は、再度、視聴者はリモコン装置等を操作して放送受信装置の音声レベルを高くする必要があった。そのため、視聴者は、試験放送が放送される時刻の前後で自らリモコン装置を操作して音声レベルを調整する必要があり、煩雑な操作を強いられる場合があった。
【０００７】
本発明は、上記課題に鑑みてなされたもので、放送開始前に放送を視聴する場合でも、視聴者が煩雑な操作をすることなく、同視聴者に不快な思いをさせる異音等を消音させることができる放送受信装置を提供する。
【課題を解決するための手段】
【０００８】
上記課題を解決するために、本発明の一局面では、テレビジョン放送信号を受信する放送受信装置において、各時間帯に放送されるチャンネルに対する付加情報が付与された前記テレビジョン放送信号から音声データと、前記付加情報とを取り出すデータ取得部と、前記取り出された付加情報から前記各チャンネルの放送開始時刻が記録された番組表データを生成する番組表データ生成部と、本放送受信装置の駆動を制御する機能を備える制御部と、前記制御部に計時機能を付与する計時手段とを有し、前記制御部は、電源が投入された時点で計時された現在の時刻と、前記生成された番組表データから参照される放送開始時刻とを比較して、現在の時刻が前記放送開始時刻より早い場合は、放送開始時刻になるまで前記音声データに基づく音声を出力させない構成としてある。
【０００９】
上記のように構成された発明では、放送受信装置は、各時間帯に放送されるチャンネルに対する付加情報が付与された前記テレビジョン放送から音声データと、付加情報とを取り出すデータ取得部と、取り出された付加情報から前記各チャンネルの放送開始時刻が記録された番組表データを生成する番組表データ生成部と、放送受信装置の駆動を制御する機能を備える制御部とを有している。また、制御部は、時計手段により現在の時刻を計時する機能を付与されている。
そして、制御部は、生成された番組表データから参照される放送開始時刻と計時手段により計時された現在の時刻とを比較して、現在の時刻が放送開始時刻より早い場合は、放送開始時刻になるまで音声データに基づく音声を出力させないため、ユーザは放送開始時刻前の所定期間に放送される試験放送に伴って出力される音声をリモコン装置等により操作しなくても消音させることができる。更に、制御部は、放送開始時刻になると、消音状態を解除するため、ユーザは、番組の放送が開始された後、放送受信装置の音声を調整する必要が生じなくなる。
【００１０】
好ましくは、前記番組表データは、ＥＰＧ情報である。
上記のように構成された発明では、テレビジョン放送に多重化されたＥＰＧ（Electronic program guide）情報を基に、テレビジョン放送の開始時刻を判別するため、あえてユーザ側で放送開始時刻を設定する必要がなく、ユーザの作業負担を減らすことができる。
【００１１】
好ましくは、制御部は、前記番組表データから参照される放送開始時刻と前記計時された現在の時刻との差分演算を行い、この差分演算の値に基づいて、現在の時刻が放送開始時刻より早いか否かを判断する。
【００１２】
好ましくは、前記制御部は、現在の時刻が前記放送開始時刻より遅い場合は、前記音声データに基づく音声を出力させる。
上記のように構成された発明では、電源が投入された時刻が放送開始時刻より遅い場合は、通常に放送が開始されているため、音声を消音することなく番組を放送する。
【００１３】
本発明の他の局面として、前記音声データに基づいて音声を出力する機能を備える音声出力部を有し、前記番組表データは、ＥＰＧ情報であって、前記音声出力部は、音声を消音するミュート機能を備えており、前記制御部は、前記番組表データから参照される放送開始時刻と前記計時された現在の時刻との差分演算を行い、この差分演算の値に基づいて、現在の時刻が放送開始時刻より早いか否かを判断し、現在の時刻が前記放送開始時刻より遅い場合は、前記音声出力部に音声を出力させ、現在の時刻が前記放送開始時刻より早い場合は、前記音声出力部にミュート機能を実行させることで音声を出力させない
【発明の効果】
【００１４】
以上説明したように請求項１、請求項３、請求項４に係る本発明によれば、ユーザに煩雑な操作を強いることなく試験放送時の音声を消音することができる。
また請求項２にかかる発明によれば、ユーザ側で放送開始時刻を設定する必要がなく、ユーザの作業負担を減らすことができる。
そして請求項５のような、より具体的な構成において、上述した請求項１〜請求項４の各発明と同様の作用を奏することはいうまでもない。
【発明を実施するための最良の形態】
【００１５】
以下、図を参照しつつ下記の順序に従って本発明の実施形態を説明する。また、図中、同じ符号を付した箇所は同一又は同等の箇所を示し、その説明は繰返さない。
１．第１の実施形態：
（１）本発明の概要：
（２）テレビジョン受信機の構成：
（３）テレビジョン受信機の作用：
（４）音声制御モジュールの作用：
２．第２の実施形態：
【００１６】
１．第１の実施形態：
（１）本発明の概要：
図１は、放送開始前後の各番組の放送スケジュールを説明するイメージ図である。放送開始前の時刻（図では、AM3:59より前の時刻）にユーザが放送受信装置の電源を投入すると、放送受信装置は試験放送を放送する。試験放送では、画面上にテストパターン画像が表示されるとともに、特定の音声が出力される。本発明に係る放送受信装置では、ユーザが放送開始前に放送受信装置の電源を投入した場合でも、放送受信装置は試験放送として出力される音声を消音することで、ユーザが音声を視聴することがないよう機能する。また、放送受信装置は通常の放送が開始されれば（図では、AM4:00以降）消音状態を解除するため、視聴者は放送開始に合わせて自ら音声を調整する必要がなくなる。
【００１７】
（２）テレビジョン受信機の構成：
図２は、放送受信装置の構成を説明するブロック構成図である。第１の実施形態では、放送受信装置としてテレビジョン受信機１００を例に説明を行なう。テレビジョン受信機１００は、屋外等に設置されたアンテナ２００と接続されており、アンテナ２００が受信したテレビジョン放送信号に基づいてテレビジョン放送を放送する機能を備えている。また、ユーザはリモコン装置９０を操作して、テレビジョン受信機１００を遠隔操作することが可能である。
【００１８】
テレビジョン受信機１００は、アンテナ２００が受信したテレビジョン放送から所望のテレビジョン放送信号を検波する機能を備えるチューナ部８０と、検波されたテレビジョン放送信号から映像データ、音声データ、及び付加データを取り出すデータ取得部７０と、映像データに基づいて映像を表示する機能を備える映像出力部６０と、音声データに基づいて音声を出力する機能を備える音声出力部５０と、付加情報に基づいてＥＰＧ情報を生成するＥＰＧ情報生成部（番組表データ生成部）４０と、上記各部を制御する制御部３０とを備えている。なお、上記各部の間には、バス１１０が介在しており、このバス１１０を介して各部は相互に通信することができる。更に、テレビジョン受信機１００は、その内部に、上記各部に電源電圧を供給する電源回路部２０を備えており、この電源回路部２０から各部に対して電源の供給を受ける。
【００１９】
チューナ部８０は、アンテナ２００が受信したテレビジョン放送信号から所望のチャンネルに対応した信号を検波する。チューナ部８０は、リモコン装置９０等により選局されたチャンネルに対応した変調信号を抽出する線局部や、選局された信号からディジタルデータを抽出する伝送路複号部を備えている。伝送路復号部により取り出されたディジタルデータには、選局されたチャンネルの映像データ、音声データ、及び付加データとしてのＥＰＧ情報が多重化されている。
【００２０】
データ取得部７０は、検波されたテレビジョン放送信号から映像データと音声データと付加データとを取り出す機能を備えている。データ取得部７０にディジタルデータが入力されると、まず、デスクランブル部７１がディジタルデータのスクランブルを解除する。次に、多重分離部７２がディジタルデータを付加情報と映像・音声データとに分離する。その後、映像・音声復号部７３が映像・音声データを映像データと音声データとに復号して、映像出力部６０に出力する。
【００２１】
映像出力部６０は、映像を出力する機能を備えている。映像出力部６０に映像データが入力されると、画像処理部６１が映像データに対して加工を行なう。次に、ドライバ部６２が加工された映像データから表示電圧を生成する。更に、生成された表示電圧は、表示パネル６３に出力される。表示パネル６３は、表示電圧を基に画面を構成する画素を駆動させて映像を表示する。
【００２２】
表示パネル６３は、ドライバ部６２が生成した表示電圧に基づいて各画素を駆動させて映像を表示する機能を備えるものであればよい。そのため、表示パネル６３の種別としては、液晶パネルであっても、プラズマパネルであっても、有機ＥＬ（Electro Luminescence）パネルであってもよい。
【００２３】
音声出力部５０は、取得されたテレビジョン放送に基づいて音声を出力する機能を備える。音声出力部５０に、映像・音声復号部７３が復号した音声データが入力されると、音声処理部５１が、音声データを加工して音声の増幅又は編集を行なう。次に、ドライバ部５２が加工された音声データをディジタル／アナログ変換するする。その後、ドライバ部５２により変換されたアナログ電圧は、スピーカ５３に出力され、音声に変換されて出力される。更に、音声処理部５１は、ミュート機能を備えており、このミュート機能が実行されると、音声データはドライバ部５２に出力されず、音声が出力されない。
【００２４】
ＥＰＧ情報生成部４０は、取り出された付加情報を基にＥＰＧ情報を生成する機能を備えている。ＥＰＧ情報生成部４０は、多重分離部７２が分離した付加情報からＥＰＧ情報を生成して内部に記憶する機能を備えている。ＥＰＧ情報生成部４０は、ＥＰＧ情報を生成する基本デコーダ部や、生成されたＥＰＧ情報を記憶するデータ記憶部により構成されている。
【００２５】
ここで、ＥＰＧ情報とは、電子番組ガイドを構成するデータのことである。ＥＰＧ情報として取得されるデータには、特定の日時に放送される番組の開始・終了時刻、番組内容、及びその他情報が記録されており、制御部３０はＥＰＧ情報生成部４０に記録された各種データを参照して、放送開始時刻を判断することができる。
【００２６】
制御部３０は、テレビジョン受信機１００の駆動を制御する機能を備えている。制御部３０は例えばマイクロコンピュータにより構成され、その内部にＣＰＵ（Central Processing Unit）３１や、ＣＰＵ３１が所定の演算を実行するためのアプリケーション・プログラムを記憶するＲＯＭ（Read Only Memory）３２や、ＣＰＵ３１のワークエリアとしての役割を果たすＲＡＭ（Random Access Memory）３３、ＣＰＵ４１に計時機能を付与するタイマ（計時手段）３４、更には、リモコン装置９０から送信される操作コマンドを受信してＣＰＵ３１にユーザからの操作内容を伝える機能を備えるリモコン受信部３５とを備えている。
【００２７】
ＲＯＭ３２には、ＣＰＵ３１がテレビジョン受信機１００の各部を制御するためのアプリケーション・プログラム等が記憶されている。ＲＯＭ３２には、ＣＰＵ３１がユーザにリモコン装置９０等を使用した基本的な操作環境を提供できるよう機能するオペレーティング・ソフト（以下ＯＳと記載する）１２０や、このＯＳ１２０と一体となって、ＣＰＵ３１に本発明に係る放送開始前における音声の制御を行わせる音声制御モジュール３００とを記憶している。以下、断りがない限り、ＯＳ１２０、及び音声制御モジュール３００によりＣＰＵ３１が実行する機能を、制御部３０が実行する機能として説明する。
【００２８】
（３）テレビジョン受信機の作用：
図３は、ユーザが電源を投入した際、テレビジョン受信機１００の内部で実行される処理を説明する流れ図である。ユーザがリモコン装置９０を操作してテレビジョン受信機１００にメイン電源を投入すると、制御部３０はＯＳ１２０をＲＡＭ３２に展開する。この後、テレビジョン受信機１００の電源が切られるまで、制御部３０はＲＡＭ３２に展開されたＯＳ１２０の機能に基づいて各部の制御を実行する。
【００２９】
具体的には、制御部３０は、アンテナ２００が受信したテレビジョン放送信号から所望のディジタルデータを取得するよう各部を制御する。これにより、データ取得部７０は、アンテナ２００が受信したテレビジョン放送信号から、リモコン装置９０の操作により選局された番組に対応した音声及び映像データを取得する。更に、ＥＰＧ情報生成部４０は、付加データを取得し、この付加データに基づいてＥＰＧ情報を生成する（ステップＳ１２５）。
【００３０】
制御部３０は、自動ミュートがオンになっているか判断する（ステップＳ１３０）。この自動ミュートは、前述したように、ユーザが放送開始前にテレビジョン受信機１００の電源を投入した場合でも、音声を消音することで、ユーザが音声を聴くことがないよう機能するものである。自動ミュートは、ユーザがリモコン装置９０を操作することで送信されたコマンドを制御部３０が受信することで設定される。制御部３０は、受信したコマンドをＲＡＭ３３等に記憶しておき、リモコン装置９０から自動ミュートを解除するコマンドが送信されない限りは、音声出力部５０に対して所定期間、消音状態を維持するよう命令する。そのため、制御部３０は、リモコン装置９０から送信されたコマンドが記憶されている場合は、自動ミュートがオン状態であると判断する。
【００３１】
自動ミュートがオンであると判断した場合は、制御部３０はＲＯＭ３２から音声制御モジュール３００をＲＡＭ３３上に展開し、音声制御モジュール３００に基づいて処理を実行する（ステップＳ１３５）。制御部３０は、この音声制御モジュール３００の機能により、本発明に係る処理を実現することが可能となる。
なお、音声制御モジュール３００により制御部３０が本発明に係る機能を実行した後は、テレビジョン受信機１００としての通常の処理が実行される。
【００３２】
（４）音声制御モジュールの作用：
以下に、音声制御モジュール３００に基づく制御部３０の機能を説明する。音声制御モジュール３００により制御部３０は、ユーザが放送開始前に電源を投入した場合でも、試験放送により放送される音声を消音させるとともに、放送開示時刻とともに消音を自動で解除させることができる。
【００３３】
図４は、図３のステップ１３５により制御部３０が実行する処理を説明する流れ図である。まず、制御部３０は音声出力部５０に対して消音を実行するよう命令する（ステップＳ３１０）。制御部３０は、消音実行に伴う制御命令をバス１１０を介して音声出力部５０に送信する。その後、音声出力部５０では、音声処理部５１がミュート機能によりスピーカ５３から出力される音声を消音する。音声出力部５０がミュート機能により音声を消音するようにすれば、音声を瞬時に消音状態にすることができる。このとき、音声処理部５１が入力された音声データの増幅値を下げることで、スピーカ５３から出力される音声を消音してもよい。
【００３４】
制御部３０は、ＥＰＧ情報を参照して放送開始時刻を確認する（ステップＳ３２０）。ＥＰＧ情報はＥＰＧ情報生成部４０に記憶されているため、制御部３０はＥＰＧ情報生成部４０からＥＰＧ情報をＲＡＭ３３上に読み出すとともに、ＥＰＧ情報に記憶された放送開始時刻であるChstartをＲＡＭ３３上に記憶する。
【００３５】
制御部３０は、ＥＰＧ情報を参照して現在の時間を判断する（ステップＳ３３０）。制御部３０は、ＥＰＧ情報に付与された時刻データから現在の時間を判別し、タイマ３４の機能により現在の時刻NowTimeを更新する。なお、このNowTimeは、タイマ３４の機能に基づいて、その時刻が進行するものである。
【００３６】
制御部３０は、現時点で、放送が開始されているか否かを判断する（ステップＳ３４０）。具体的には、制御部３０は、ＲＡＭ３３に記憶した放送開始時刻Chstartと、現在の時刻NowTimeとの差分演算を行なう。上記した差分演算の出力値Ｔが０以下である場合は、制御部３０はすでに放送が開始していると判断し、音声出力部５０に消音を解除するよう命令する（ステップＳ３８０）。放送が開始されているか否かを放送開始時刻と現在の時刻との差分演算により求めることで、演算により求められた値により開始時間の判別をすることが可能となり、時刻判断を迅速に行なうことができる。
【００３７】
上記した差分演算の出力値Ｔが０以上である場合は、放送開始時刻までまだ時間が存在するため、制御部３０は、放送開始までの時間をカウントする（ステップＳ３５０〜Ｓ３７０）。具体的には、制御部３０は、ステップＳ３４０による差分演算により出力された出力値Ｔをその値が０になるまでタイマ３４の機能を用いてカウントする。このとき、当然ディスプレイ上には試験放送が放映されているが、音声出力部５０の消音機能により消音が維持されている。
【００３８】
ステップＳ３７０で出力値Ｔが０になれば、現在の時刻が放送開始時刻と一致しているため、制御部３０は音声出力部５０に消音状態を解除させる（ステップ３８０）。従って、音声出力部５０は、スピーカ５３を通じて音声を出力し、ユーザは音声を含めた番組を視聴することができる。
【００３９】
２．第２の実施形態
図５は、第２の実施形態での放送受信装置を説明する図である。第２の実施形態では、放送受信装置は、アンテナ２００が受信したテレビジョン放送を検波するとともに、検波した映像及び音声データを記録及び出力する機能を備える記録再生装置４００により実現される。記録再生装置４００から出力される映像及び音声データは、再生装置５００により受信され、映像及び音声として出力される。記録再生装置としては、記録媒体としてＨＤＤ（Hard Disk Drive）レコーダや、ブルーレイディスク（Blu-rayDisc）レコーダ等である。
【００４０】
記録再生装置４００は、チューナ部８０、データ取得部７０、ＥＰＧ情報生成部４０、制御部３０、電源回路部２０を備えており、各部の機能は第１の実施形態同様であるため、説明は省略する。また、記録再生装置４００の制御部３０には、第１の実施形態におけるテレビジョン受信機１００同様、音声制御モジュール３００が記憶されている。そのため、制御部３０は、この音声制御モジュール３００の機能により、所定時刻に再生装置５００が出力する音声を消音状態とすることができる。更に、記録再生装置４００は、再生装置５００と映像及び音声データの送受信を行なう機能を備えるインタフェース４１０と、映像及び音声データを記録する機能を備えるメモリ４２０、メモリ４２０に対するアクセスの制御を行なう機能を備えるコントローラ４３０とを備えている。
【００４１】
再生装置５００は、映像出力部６０と、音声出力部５０とを備えており、その機能は第１の実施の形態と同様であるため、説明を省略する。更に、再生装置５００は、記録再生装置４００と映像及び音声データの送受信を行なう機能を備えるインタフェース５１０を備えている。そのため、再生装置５００は、記録再生装置４００から送信された映像及び音声データをインタフェース５１０を介して映像出力部６０及び音声出力部５０に出力する。
【００４２】
図６は、第２の実施形態での音声制御モジュールの機能を説明する流れ図である。この流れ図による処理も、第１の実施形態同様、記録再生装置４００の自動ミュートが設定されている場合に実行されるものである。また、この流れ図は、ステップＳ１３１０及びステップＳ１３８０以外の処理が図４の流れ図と同じであるため、ステップＳ１３１０及びＳ１３８０を中心に説明を行なう。
【００４３】
制御部３０は音声出力部５０に対して消音を実行するよう命令する（ステップＳ１３１０）。具体的には、制御部３０は、インタフェース４１０を制御して、再生装置５００に音声データが出力されないよう制御する。このため、再生装置５００には音声データが出力されず、音声は出力されない。
【００４４】
制御部３０は、ＥＰＧ情報を参照して放送開始時刻を確認する（ステップＳ１３２０）。制御部３０は、ＥＰＧ情報を参照して現在の時間を判断する（ステップＳ１３３０）。制御部３０は、現時点で、放送が開始されているか否かを判断する（ステップＳ１３４０）。制御部３０は、すでに放送が開始していると判断した場合は、インタフェース４１０を制御して、再生装置５００に音声データを出力させる（ステップＳ１３８０）。
【００４５】
また、制御部３０は、放送開始時刻までまだ時間が存在すると判断した場合は、放送開始までの時間をカウントし（ステップＳ１３５０〜Ｓ１３７０）、カウントする出力値Ｔが０になれば、インタフェース４１０に音声データを出力させる（ステップ１３８０）。これにより、再生装置５００はスピーカ５３を通じて音声を出力し、ユーザは音声を含めた番組を視聴することができる。
【００４６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４７】
【図１】放送開始前後の各番組の放送スケジュールを説明するイメージ図である。
【図２】放送受信装置の構成を説明するブロック構成図である。
【図３】ユーザが電源を投入した際、テレビジョン受信機１００の内部で実行される処理を説明する流れ図である。
【図４】図３のステップ１３５により制御部３０が実行する処理を説明する流れ図である。
【図５】第２の実施形態での放送受信装置を説明する図である。
【図６】第２の実施形態での音声制御モジュールの機能を説明する流れ図である。
【符号の説明】
【００４８】
２０…電源回路部、３０…制御部、３１…ＣＰＵ、３２…ＲＯＭ、３３…ＲＡＭ、３４…タイマ、３５…リモコン受信部、４０…ＥＰＧ情報生成部、５０…音声出力部、５１…音声処理部、５２…ドライバ部、５３…スピーカ、６０…映像出力部、６１…画像処理部、６２…ドライバ部、６３…表示パネル、７０…データ取得部、７１…デスクランブル部、７２…多重分離部、７３…映像・音声復号部、８０…チューナ部、９０…リモコン装置、１００…テレビジョン受信機、１１０…バス、１２０…ＯＳ、２００…アンテナ、３００…音声制御モジュール、４００…記録再生装置、４１０…インタフェース、４２０…メモリ、４３０…コントローラ、５００…再生装置、５１０…インタフェース
【図１】
2009290334.tif 000003
【図２】
2009290334.tif 000004
【図３】
2009290334.tif 000005
【図４】
2009290334.tif 000006
【図５】
2009290334.tif 000007
【図６】
2009290334.tif 000008